(57)【要約】      （修正有）【課題】余り木、端材を無駄なく利用し、現場で作業を効率化する寄木模様壁構造体を提供する。【解決手段】モザイク板１０は、薄い木片２と厚い木片３を互いに重ならないように列状に台板の端部まで隙間無く並べ、かつ所定の列ｃ２、ｃ８についてはその列の両端部位置は、木片２が配置されている。所定の列ｃ２、ｃ８が連続するようにモザイク板１０を並べ、所定の列ｃ２、ｃ８において固定金具４で支持体に固定する。固定金具４の上から、木片２と３の厚さの差の厚さを持つ木片７を貼り付けて寄木模様壁構造体１００を構成する。【選択図】図３
0003157014.tif 000002
【実用新案登録請求の範囲】
【請求項１】
台板よりも短く２種類の厚さを持つ棒状の木片を互いに重ならないように幅が連続した多数の列状であって、各列に２種類の厚さを持つ木片が存在するように台板の端部まで隙間無く並べ、かつ所定の列についてはその列の両端部位置に薄い木片を配置して台板に固着したモザイク板を、当該所定の列が連続するように複数並べ、支持体に対して当該所定の列の木片の上から固定金具により固定し、固定金具で固定した箇所の低い木片の上から、当該所定の列の低い木片が連続する長さよりも短く、前記２種類の厚さの差の厚さを持ち、当該列の幅を持つ木片を貼り付けた寄木模様壁構造体。
【請求項２】
請求項１において、前記モザイク板は、任意の長さを持つ２木片を互いに重ならないように台板上に隙間無く並べて、台板の端で台板よりはみ出した部分を切り落とされたものであることを特徴とする寄木模様壁構造体。
【請求項３】
請求項１において、前記２種類の厚さを持つ棒状の木片及び前記２種類の厚さの差の厚さを持つ木片は、その幅が等しいことを特徴とする寄木模様壁構造体。
【考案の詳細な説明】
【技術分野】
【０００１】
本考案は、多数の短冊状の木片を並べて不規則な寄木模様を形成した寄木模様壁構造体に関する。
【背景技術】
【０００２】
従来、寄木模様壁を形成するに当たっては、合板よりなる台板上に、幅が一定であり、長さ及び厚さは異なる多数個の木片を並べて不規則な寄木模様を形成した寄木模様壁材が知られている。
【０００３】
例えば、特許文献１によれば、台板上に多数個の棒状装飾木片を並べて固着する際、台板の一端においては木片を突出させ、他端においては木片を突出させずに固着したモザイク板を形成している。２枚のモザイク板を接合する場合、木片を突出させていない端部に、突出させた端部をはめ込んで壁を形成する。
【先行技術文献】
【特許文献】
【０００４】
【特許文献１】実開昭５３−１０２５２２号公報
【考案の概要】
【考案が解決しようとする課題】
【０００５】
上記特許文献１に開示されたモザイク板は、木片を突出させた側の突出形状に対応するように、突出させない側の台板には木片が載らないように固着させておく必要がある。このため、端部の木片の固着位置が異なると、モザイク板を嵌め合わせることができない。
【０００６】
一方、使用される木片として、余り木や、仕上げ材を製材するときに出る小さな端材を使用しようとすると、長さがまちまちであり、モザイク材の端部を嵌め合わせるように木片を選択し或いは加工しなければならない。また、必要とされる壁の長さと、モザイク板の寸法が適当な関係にないと、木片が固着されていない部分が露出するので、これを埋める工程が工事現場において必要となる。本考案は、余り木、端材を無駄なく利用し、現場で作業を効率化する寄木模様壁構造体を提供することを目的とする。
【課題を解決するための手段】
【０００７】
上記課題を達成するため、本考案の寄木模様壁構造体は、台板よりも短く２種類の厚さを持つ棒状の木片を互いに重ならないように幅が連続した多数の列状であって、各列に２種類の厚さを持つ木片が存在するように台板の端部まで隙間無く並べ、かつ所定の列についてはその列の両端部位置は薄い木片を配置して台板に固着したモザイク板を、当該所定の列が連続するように複数並べ、支持体に対して当該所定の列の木片の上から固定金具により固定し、固定金具で固定した箇所の低い木片の上から、当該所定の列の低い木片が連続する長さよりも短く、前記２種類の厚さの差の厚さを持ち、当該列の幅を持つ木片を貼り付けたことを特徴とする。
【図面の簡単な説明】
【０００８】
【図１】モザイク板の斜視図である。
【図２】モザイク板の製造過程を示す図である。
【図３】寄木模様壁構造体の製造過程を示す図である。
【考案を実施するための形態】
【０００９】
以下、図面を参照して本実施例の寄木模様壁構造体を説明する。
図１において、寄木模様壁構造体に用いるモザイク板１０は所定大の台板１上に、薄い棒状の木片２と厚い棒状の木片３とが互いに重ならないように多数の列状に、かつ各列に２種類の厚さを持つ木片が存在するように接着剤で固着したものである。台板1は、合板や繊維板、樹脂板等が用いられる。木片２、３は台板1の側辺まで、隙間無く並べられた状態となっている。モザイク板１０の表面は、２種類の厚さを持つ棒状の木片２、３により、その厚さの差に相当する段差が設けられている。
【００１０】
並べ方は、列の並びとなる方向（方向イ）で見たときに、台板１の端部１ａにおいて段差が低くなる箇所が複数列存在するようにしてある。図示の例においては、モザイク板１０は、方向イに木片１０本分の幅を有している。この板において、最も離れた列（ｃ１、ｃ９）の間には７本の木片が存在し、次に離れた列（ｃ１、ｃ７）の間には５本の木片が存在し、次に離れた列（ｃ１、ｃ５）の間には３本の木片が存在している。本実施例では、段差の低い箇所と高い箇所が交互に現れているが、高い列を連続して設けても良い。段差の低い列の位置は、モザイク板の両端において共通の位置（例えば３列目と９列目）としておくのが良い。一方、同じ列の中には、段差の低い箇所と高い箇所が存在している。
【００１１】
図２は、モザイク板１０の製造過程を示している。
２種類の木片２、３は、幅がＷで共通であり、長さは任意であり、厚さが夫々Ｔ１、Ｔ２である。長さは、台板１の長さよりも短い。このため、一つの列に、厚さＴ１とＴ２の木片２、３が存在できる。この木片２、３を、上記のような段差の配置を考慮したうえで、任意に台板１の上に接着固着する。厚さＴ１の木片２により低い段差が設けられ、厚さＴ２の木片３により高い段差が設けられる。木片2、３は、余り木や、仕上げ材を製材するときに出る小さな端材であるが、厚さと幅については幅Ｗ、厚さＴ１、Ｔ２の寸法のように成型されている。一方、木片２、３は長さがまちまちであるので、台板１の全面に隙間なく貼り付けたときには、台板１から端部がはみだす状態となる。接着剤が固化した後、台板１の端部に合わせて破線ロで示すように、はみ出した木片２、３を切り落とす。長い台板の上に木片２、３を接着固定したのち、台板を一定寸法ずつ切り落としてモザイク板１０を形成しても良い。
【００１２】
このモザイク板１０を用いて寄木模様壁構造体１００の施工について説明する。
図３において、モザイク板１０を家の縦木やボード等の支持体（図示せず）に対して、螺子或いは釘などの固定金具４により固定される。螺子止め箇所は、縦木の左右に配置されるモザイク板１０の端部近傍の段差が低くなっている列の位置を合せて、低い箇所が連続するような箇所を上下２列とする。本実施例においては、段差の低い列の位置は、モザイク板１０の両端において上から２列目（ｃ２）と８列目（ｃ８）である。モザイク板１０を位置あわせした後、下穴５を開けて当該列の厚さＴ１の木片２の上から螺子止めを行う。
【００１３】
木片７は、幅の長さＷであり、長さＬは任意であり、厚さはＴ１とＴ２との差分であるＴ３の木片であり、木片２、３と同様に余り木を加工したものである。この木片７を螺子止めをした列（ｃ２、ｃ８）の部分に、両隣のモザイク板１０に橋渡しするように、粘着剤により貼り付けて、螺子の頭部を隠す。木片７の長さは、隣同士で連続する低い段差の部分の長さよりも短いものが使用される。木片７の厚さをＴ３としたのは、木片７の接着後の高さが厚さＴ２の木片３の箇所と同じ高さになり、模様の統一性を図るためである。図３Ｂに施工後の寄木模様壁構造体１００が示されている。木片７の接着については剥離可能な粘着剤を使用するのは、将来の解体を見越したものであるが、木片７を貼り付けて厚さＴ２の高さ同じ高さにしておけば、居住期間中に、木片７が居住者に引っ掛かり外れてしまうことも避けられる。
【００１４】
なお、図においては、螺子止めした列にのみ、木片７を貼り付けているが、モザイク板が連続しているように見せるために、他の低い段差の列にも木片７を貼り付けても良い。
【００１５】
壁の長さとモザイク板１０の寸法が整数倍とならない場合には、モザイク板１０を適当に切断する必要があるが、本実施例によれば、モザイク板１０の段差の低い列の位置をモザイク板１０の両端で決めているので、どの位置でモザイク板１０を切断しても、端の位置が残っていれば他のモザイク板１０との接合に支障がでることは無い。
【００１６】
本実施例の寄木模様壁構造体１００によれば、木片７が剥離可能であるので、建築、解体が容易である。また、木片２、３を台板１に隙間無く張り合わせたモザイク板１０であるので、製造も簡単である。隣同士のモザイク板１０の間で嵌め合せるための構造を持たず、端部の直線同士をつき合わせて並べるだけであるので、建築現場においてモザイク板同士のはめ合わせのために手間をとることが無い。木片7は、粘着材ではなく接着剤により貼り付けても良い。
【００１７】
また、木片２、３、7は、長さがまちまちの余り木や、小さな端材が使用できるため、環境にもやさしいという効果がある。
【００１８】
上記実施例においては、台板１に接着固定される全ての木片２、３、7について幅Ｗと共通化して、各列の幅が同じものとなるようにした。これを変更して、木片の種類が増えてしまうことにはなるが、列毎に幅を変えることも可能である。同じ列においては、使用する木片の幅は共通化して、列の幅が連続したものとしておく。そうでないと、隣同士のモザイク板の間で、列の位置が変わってしまうからである。
【符号の説明】
【００１９】
１  台板
２、３、７  木片
４  固定金具
１０  モザイク板
１００  寄木模様壁構造体
【図１】
0003157014.tif 000003
【図２】
0003157014.tif 000004
【図３】
0003157014.tif 000005